(57)【要約】【課題】紙詰まり状態に陥ることなく確実に切断後の記録紙が記録紙排出口から落下することを防止可能な記録紙落下防止機構を提案すること。【解決手段】ロール紙プリンタ１には、記録紙排出口２から切断後の記録紙７ｂが落下しないように保持する記録紙落下防止機構３０が配置されている。記録紙落下防止機構３０は、可動刃２４が切断方向に移動するとその側面２４ａに係合可能な押さえレバー３１を備え、切断される記録紙７ｂの後端部分が、切断方向に移動する可動刃２４と、引張りコイルばね３２によって付勢されている押さえレバー３１との間に挟持され、落下が防止される。切断される記録紙の先端部分を押さえレバーを押し上げて通して、その挟持状態を形成する場合とは異なり、挟持部分において紙詰まりが発生することがない。【選択図】図５
2007111880.tif 000002
【特許請求の範囲】
【請求項１】
固定刃および可動刃を備えた記録紙切断装置で切断された後の記録紙が記録紙排出口から落下することを防止するための記録紙落下防止機構であって、
前記可動刃が記録紙切断方向に移動すると、当該可動刃の記録紙排出側の側面に係合可能な位置に配置された押さえレバーと、
前記可動刃の側面に係合する方向に前記押さえレバーを付勢している付勢部材とを有していることを特徴とする記録紙落下防止機構。
【請求項２】
長尺状の記録紙に印字を行う印字ヘッドと、
この印字ヘッドによって印字された後の記録紙を切断するための固定刃および可動刃を備えた記録紙切断装置と、
切断後の記録紙を排出するための記録紙排出口と、
請求項１に記載の記録紙落下防止機構とを有していることを特徴とするプリンタ。
【請求項３】
請求項２において、
切断後の記録紙が前記記録紙排出口に有るか否かを検出するためのセンサを有し、
前記センサの検出結果に基づき前記可動刃を移動させることを特徴とするプリンタ。
【発明の詳細な説明】
【技術分野】
【０００１】
本発明は、長尺状の記録紙に印字を行った後に記録紙切断装置によって所定の長さに切断して、レシート、クーポンなどとして発行するプリンタに関し、特に、切断後のレシート、クーポンなどの記録紙が排出口から落下することを防止するための記録紙落下防止機構に関するものである。
【背景技術】
【０００２】
レシート、クーポンなどを発行するためのプリンタにおいては、ロール紙などの長尺状の記録紙に印字を行った後に、記録紙排出口近傍に配置されている記録紙切断装置によって記録紙を切断し、切断後の記録紙をレシート、クーポンなどとして発行するようになっている。このようなプリンタでは、切断後の記録紙が記録紙排出口から落下しないように、記録紙を完全に切断することなく、その隅を僅かに切り残すようにした記録紙切断装置が用いられる場合がある。この場合、操作者が切断位置よりも先端側の記録紙を引きちぎることにより、一枚のレシートあるいはクーポンが得られる。
【０００３】
しかしながら、このように記録紙を切り残すと、操作者が記録紙を引きちぎる際に、後続の記録紙部分も引張られ、当該記録紙部分にずれが発生し、その後の印字において、印字乱れ、印字ヘッドに接触することに起因する汚れ、紙詰まりなどの弊害が発生するおそれがある。
【０００４】
そこで、記録紙を完全に切断し、しかも、記録紙排出口から切断後の記録紙が落下しないようにすることが望ましい。特許文献１には、切断後の記録紙を、レシート押さえ面と、ここに押し付けられているレシート押さえ片との間を通して排出し、レシート押さえ片の押し付け力によって切断後の記録紙が記録紙排出口から落下することを防止したレシートプリンタが開示されている。
【特許文献１】特開平９−１２８６５５号公報
【発明の開示】
【発明が解決しようとする課題】
【０００５】
しかしながら、上記の特許文献に開示されているレシートの落下を防止する機構においては、レシート押さえ片とレシート押さえ面の間に、切断後の記録紙が強制的に通される。このため、切断後の記録紙の先端部が折れ曲がっている場合、カールが付いている場合などにおいては、記録紙がこれらの間を通って前進することができず、これらの手前の部分で紙詰まり状態になる可能性が高い。
【０００６】
また、これらの間の挟まれた状態で保持されているレシートを操作者が取り除かない限り、レシートはそこに残ったままになる。レシートが取り除かれることなく次のレシート発行が行われると、当該部分で紙詰まりが発生してしまう。したがって、操作者がレシートを取り除かないと、次のレシート発行動作を行うことができないという不便さがある。
【０００７】
本発明の課題は、このような点に鑑みて、紙詰まり状態に陥ることなく確実に切断後の記録紙が記録紙排出口から落下することを防止可能な記録紙落下防止機構を提案することにある。
【課題を解決するための手段】
【０００８】
上記の課題を解決するために、本発明は、固定刃および可動刃を備えた記録紙切断装置で切断された後の記録紙が記録紙排出口から落下することを防止するための記録紙落下防止機構であって、前記可動刃が記録紙切断方向に移動すると、当該可動刃の記録紙排出側の側面に係合可能な位置に配置された押さえレバーと、前記可動刃の側面に係合する方向に前記押さえレバーを付勢している付勢部材とを有していることを特徴としている。
【０００９】
本発明において、記録紙切断装置から所定長さだけ記録紙を排出し、この状態で記録紙切断装置を駆動して可動刃を切断方向に移動させると、可動刃および固定刃の間に挟まれている記録紙の部分が切断される。このとき、切断方向に移動する可動刃の記録紙排出側の側面には、切断位置より下流側に位置している記録紙の部分の上から、押さえレバーが係合した状態になる。したがって、記録紙の切断後においては、切断された記録紙が可動刃の側面と押さえレバーの間に挟持された状態になり、記録紙排出口から落下してしまうことが防止される。この状態の記録紙が、操作者によって引き抜かれることなる。
【００１０】
可動刃の切断方向への移動によって、記録紙が可動刃の側面と押さえレバーの間に挟まれた状態になるので、記録紙の先端をこれらの間に通す場合等とは異なり、この部分において紙詰まりが発生するおそれがない。また、操作者が記録紙を取り出すことを忘れたままであっても、可動刃を元の位置に戻すと、押さえレバーとの係合が解除され、これらの間に挟まれていた切断後の記録紙が開放される。よって、記録紙の取り忘れ状態のままでも、可動刃を元の位置に戻すことにより、次の動作を継続して行うことが可能である。
【００１１】
次に、本発明のプリンタは、長尺状の記録紙に印字を行う印字ヘッドと、この印字ヘッドによって印字された後の記録紙を切断するための固定刃および可動刃を備えた記録紙切断装置と、切断後の記録紙を排出するための記録紙排出口と、上記構成の記録紙落下防止機構とを有していることを特徴としている。
【００１２】
ここで、切断後の記録紙が前記記録紙排出口に有るか否かを検出するためのセンサを配置し、前記記録紙切断装置の可動刃を、前記センサによって切断後の記録紙が検出されない場合、すなわち、切断後の記録紙が取り除かれたことが検出された場合に、元の位置に戻すようにすればよい。
【発明の効果】
【００１３】
本発明の記録紙落下防止機構では、押さえレバーによって、切断される記録紙の部分を、切断位置に移動する可動刃の側面に押し付けるようにしている。切断される記録紙の先端部分を押さえレバーを押し上げて通して、その挟持状態を形成する場合とは異なり、挟持部分において紙詰まりが発生することがない。また、切断後の記録紙が残ったままであっても、可動刃を元の位置に戻すと押さえレバーとの係合が解除され、記録紙を記録紙排出口から自然落下させることが可能である。よって、操作者が記録紙を取り除かないと次の動作が開始できないという不便も解消できる。
【発明を実施するための最良の形態】
【００１４】
以下に、図面を参照して、本発明を適用した記録紙落下防止機構を備えたロール紙プリンタを説明する。
【００１５】
（全体構成）
図１は本発明を適用したロール紙プリンタの外観斜視図であり、図２はその開閉蓋を全開した状態の外観斜視図である。ロール紙プリンタ１は、全体としてほぼ直方体形状をした外装ケース１ａを備えており、その前面には所定幅の記録紙排出口２が形成されている。記録紙排出口２の下側には排紙ガイド３が前方に突出しており、当該排紙ガイド３の側方には蓋開閉レバー４が配置されている。外装ケース１ａにおける排紙ガイド３および蓋開閉レバー４の下側には矩形の開口部１ｂが形成されており、この開口部１ｂは前方に開けることのできる開閉蓋５で封鎖されている。蓋開閉レバー４を操作して不図示の蓋ロック機構を解除して、排紙ガイド３を前方に引くと、図２に示すように、開閉蓋５が下端部を中心として前方にほぼ水平となるまで開く。開閉蓋５を開くと、プリンタ内部に形成されているロール紙収納部６が開放状態となり、プリンタ前方からロール紙の交換作業などを行うことができる。
【００１６】
図３はロール紙プリンタ１の内部構造を示す概略縦断面図であり、外装ケース１ａを取り外した状態で示してある。図４は図３の矢印IVの方向から見た場合の平面図である。プリンタ内部に形成されているロール紙収納部６は、ロール紙７を転動可能な状態で保持するロール紙ホルダ８を備えている。ロール紙収納部６の上方における後側の部位にはプリンタ前後方向に水平に記録紙ガイド９が配置されている。記録紙ガイド９の前側には、一段高い位置においてプリンタ前後方向に水平に、プラテンガイド１０が配置されている。プラテンガイド１０の真上には、インクジェットヘッド１１が配置されている。インクジェットヘッド１１のノズル面１１ａは、プラテンガイド１０の上面１０ａに対して一定のギャップで対峙しており、当該上面１０ａによって印字位置が規定されている。
【００１７】
印字位置を規定しているプラテンガイド１０と、記録紙ガイド９との間には、第１紙送りローラ１２がプリンタ幅方向に水平に架け渡されている。第１紙送りローラ１２には下側から所定幅の第１紙押さえローラ１３が所定の押圧力で押し付けられている。第１紙押さえローラ１３は、ベルト・プーリ式の伝達機構１４を介して紙送りモータ１５によって駆動される（図４参照）。プラテンガイド１０における前端側の部位には、第２紙送りローラ１６が配置されている。第２紙送りローラ１６には、上側から第２紙押さえローラ１７が押し付けられている。
【００１８】
次に、図４から分かるように、インクジェットヘッド１１はキャリッジ１８に搭載されており、キャリッジ１８は、プリンタ幅方向に水平に延びるキャリッジガイド１９に沿ってプリンタ幅方向（印字幅方向）に移動可能な状態で支持されている。キャリッジ１８はプリンタ幅方向に架け渡したタイミングベルト２０に連結されており、タイミングベルト２０はキャリッジモータ２１によって駆動される。キャリッジモータ２１を駆動すると、キャリッジ１８に搭載されているインクジェットヘッド１１がプリンタ幅方向に移動し、この移動に同期してインクジェットヘッド１１が駆動されて、ロール紙７から繰り出されて印字位置を通過する記録紙７ａの表面に印字が行われる。
【００１９】
なお、キャリッジ１８にはフレキシブルプリント配線基板２９の一端が接続されており、ここを介して、インクジェトヘッド１１への給電などが行われる。また、インクジェットヘッド１１には、ロール紙収納部６の側方に配置されているインクカートリッジ収納部に収納されているインクカートリッジからインクチューブを介してインクが供給されるようになっている。図においては、これらのインク供給系を省略してある。
【００２０】
一方、図３に示すように、記録紙排出口２には、鋏式の記録紙切断装置２２が配置されている。記録紙切断装置２２の固定刃２３は上向き状態で垂直に配置されており、その可動刃２４は下向きで垂直に配置されている。可動刃駆動機構２５によって可動刃２４がプリンタ幅方向の一方の端を支点として上下方向に旋回すると、固定刃２３との接触点がプリンタ幅方向に移動して、これらの間に位置する記録紙７ａを幅方向に切断できる。
【００２１】
このように構成されているロール紙プリンタ１では、図３において太い一点鎖線で示すように、ロール紙収納部６に収納されているロール紙７から引き出された記録紙７ａが、記録紙ガイド９によってガイドされ、第１紙送りローラ１２および第１紙押さえローラ１３の間からプラテンガイド１０の上面１０ａ（印字位置）を経由して第２紙送りローラ１６および第２紙押さえローラ１７の間を通って記録紙排出口２から外部に引き出された状態にセットされる。
【００２２】
この状態で第１紙送りローラ１２および第２紙送りローラ１６が回転すると、記録紙７ａの搬送が開始される。記録紙７ａの搬送に同期させてインクジェットヘッド１１が駆動され、印字位置を通過する記録紙７ａの表面に印字が行われる。例えば、印字後の記録紙７ａが記録紙排出口２から排出された状態で搬送が停止し、記録紙切断装置２２によって記録紙７ａが切断され、所定長さの印字済みの記録紙片が、レシートあるいはクーポンとして発行される。
【００２３】
ここで、記録紙切断装置２２によって切断された記録紙は、記録紙排出口２から、傾斜ガイド面を備えている排紙ガイド３の傾斜ガイド面３ａに沿って落下してしまう。そこで、本例のロール紙プリンタ１には、このような切断後の記録紙の落下を防止するための記録紙落下防止機構３０が記録紙排出口２に配置されている。
【００２４】
（記録紙落下防止機構）
図５は記録紙切断装置２２および記録紙落下防止機構３０の部分を示す概略構成図であり、記録紙切断装置２２によって記録紙７ａが切断され終わった時点の状態を示してある。また、図６は記録紙落下防止機構３０の動作を示す説明図である。
【００２５】
これらの図を参照して説明すると、記録紙落下防止機構３０は、押さえレバー３１と、この押さえレバー３１を付勢している引張りコイルばね３２とを備えている。押さえレバー３１は、上下方向の中程の位置において支軸３３を中心としてプリンタ前後方向に旋回可能な状態に支持されている。押さえレバー３１の上端部分には、記録紙切断装置２２の可動刃２４の記録紙排出側の側面２４ａに前方から係合可能な垂直係合面３４と、この垂直係合面３４の下側から後方に延びている係合突起３５とが形成されている。
【００２６】
押さえレバー３１における支軸３３より下側の部位にはばね掛け３６が形成されており、このばね掛け３６よりも前方におけるプリンタメインフレーム３７の部位にもばね掛け３８が形成されており、これらの間に引張り状態で引張りコイルばね３２が掛け渡されている。この結果、押さえレバー３１は、その上端部分が後方に旋回する方向に常に付勢されており、係合突起３５の先端が常に固定刃２３における記録紙排出側の側面２３ａに当たった状態に保持されている。
【００２７】
ここで、押さえレバー３１の垂直係合面３４と固定刃２３の側面２３ａの隙間は、僅かに可動刃２４の厚さよりも狭く設定されており、図５において想像線で示す上方の待機位置（上死点）２４Ａから可動刃２４が下方（切断方向）に移動すると、押さえレバー３１を押し出しながら、これらの隙間に嵌り込み、図５に示す切断終了位置（下死点）２４Ｂまで移動するようになっている。したがって、可動刃２４が切断方向に移動すると、押さえレバー３１の垂直係合面３４が可動刃２４の側面２４ａに前方から押し付けられた係合状態が形成される。可動刃２４を切断終了位置２４Ｂから上方に戻すと、押さえレバー３１と側面２４ａの係合が解除される。
【００２８】
この構成の記録紙落下防止機構３０の動作を説明する。まず、図６（ａ）に示すように、長尺状の記録紙７ａの先端部分は、印字位置を経由して印字された後に、可動刃２４が待機位置２４Ａに位置している記録紙切断装置２２の切断位置２２Ａを通って記録紙排出口２から排紙ガイド３に向けて所定長さだけ排出され、この状態で記録紙７ａの搬送が停止する。
【００２９】
この状態で記録紙切断装置２２が駆動され、その可動刃２４が待機位置２４Ａから下方（切断方向）に移動して、記録紙７ａの切断を開始する。図６（ｂ）にはこの状態を示してある。可動刃２４が切断方向に移動すると、その側面２４ａが、下流側の記録紙の部分７ｂを挟み、記録紙落下防止機構３０の押さえレバー３１の垂直係合面３４に係合した状態が形成される。これ以後は、切断される側の記録紙の部分７ｂの後端部分は、可動刃２４の側面２４ａと押さえレバー３１の垂直係合面３４の間に挟持された状態になる。
【００３０】
このような係合状態が保持されたまま、図５に示すように、可動刃２４が切断終了位置２４Ｂまで下降して、記録紙７ａの先端部分から一定長さの記録紙７ｂが完全に切断される。この状態では、切断後の記録紙７ｂの後端部分が、可動刃２４と押さえレバー３１の間に挟持されている。よって、記録紙７ｂが排紙ガイド３を滑り落ちて下方に落下してしまうことがない。
【００３１】
ここで、排紙ガイド３の近傍には、切断後の記録紙７ｂが取り除かれたか否かを検出するためのセンサ４０を配置しておくことが望ましい。操作者が記録紙７ｂを取り出すと、センサ４０によってそれが検出され、これに基づき、可動刃２４を元の待機位置２４Ａに戻せばよい。
【００３２】
このように、本例の記録紙落下防止機構３０においては、押さえレバー３１と可動刃２４の間に位置している記録紙の部分、即ち、切断後の記録紙７ｂの後端部分を、これらの間に挟み込むことにより、切断後の記録紙７ｂが落下することを防止している。したがって、これらが予め押し付けられている部分に記録紙を通して、これらの間に切断後の記録紙７ｂが挟持された状態を形成する場合とは異なり、当該部分において紙詰まりが発生するおそれがない。
【００３３】
また、切断後の記録紙７ｂが取り除かれないままの状態であっても、可動刃２４を戻せば、記録紙７ｂが開放されて記録紙排出口２から落下する。よって、操作者が記録紙７ｂを取り忘れた場合であっても、次の記録紙発行動作を開始することが可能である。
【図面の簡単な説明】
【００３４】
【図１】本発明を適用したロール紙プリンタの外観斜視図である。
【図２】開閉蓋を開いた状態のロール紙プリンタの外観斜視図である。
【図３】図１のロール紙プリンタの内部構造を示す概略縦断面図である。
【図４】図３の矢印IVの方向から見た場合の平面図である。
【図５】ロール紙プリンタの記録紙落下防止機構を示す概略構成図である。
【図６】記録紙落下防止機構の動作を示す説明図である。
【符号の説明】
【００３５】
１  ロール紙プリンタ、２  記録紙排出口、３  排紙ガイド、４  蓋開閉レバー、５  開閉蓋、６  ロール紙収納部、７  ロール紙、７ａ  記録紙、８  ロール紙ホルダ、１０  プラテンガイド、１０ａ  上面（印字位置）、１１  インクジェットヘッド、１２  第１紙送りローラ、１３  第１紙押さえローラ、１６  第２紙送りローラ、１７  第２紙押さえローラ、１８  キャリッジ、１９  キャリッジガイド、２０  タイミングベルト、２１  キャリッジモータ、２２  記録紙切断装置、２３  固定刃、２３ａ  固定刃の側面、２４  可動刃、２４ａ  可動刃の側面、３０  記録紙落下防止機構、３１  押さえレバー、３２  引張りコイルばね、３３  支軸、３４  垂直係合面、３５  係合突起、３６，３８  ばね掛け、４０  センサ
【図１】
2007111880.tif 000003
【図２】
2007111880.tif 000004
【図３】
2007111880.tif 000005
【図４】
2007111880.tif 000006
【図５】
2007111880.tif 000007
【図６】
2007111880.tif 000008